(57)【特許請求の範囲】
【請求項１】
各々並列に接続される複数の電磁弁ソレノイドと、
並列に接続した複数の前記電磁弁ソレノイドに対して直列に接続され、複数の前記電磁弁
ソレノイドの各々を励磁させる電力を供給することができる電源と、
閉動作によって前記電源から複数の前記電磁弁ソレノイドへ前記電力を供給し、開動作に
よって前記電源から複数の前記電磁弁ソレノイドへの前記電力を遮断する励磁用接点と、
前記励磁用接点に流れる電流を電流測定値として測定する電流測定部と、
前記電流測定値が励磁判定用閾値を上回ることによって複数の前記電磁弁ソレノイドが励
磁していることを判定する励磁判定部と、
前記励磁判定部において複数の前記電磁弁ソレノイドが励磁していることが判定され、さ
らに複数の前記電磁弁ソレノイドの全てが正常であるときに前記励磁用接点に流れる電流
から一つの前記電磁弁ソレノイドを流れる電流よりも小さい値を差し引いた値として定め
られたソレノイド異常判定用閾値より前記電流測定値が下回るときに、複数の前記電磁弁
ソレノイドのいずれか１つに異常があることを判定するソレノイド異常判定部とを備える
ことを特徴とする原子炉安全保護装置。
【請求項２】
前記ソレノイド異常判定部を配置した基板をモジュール化し、このモジュールを前記電流測定部と前記励磁判定部とが配置される基板に接続することができることを特徴とする請求項１に記載の原子炉安全保護装置。
【請求項３】
前記励磁用接点に流れる電流を電圧換算値として測定する電圧測定部をさらに設け、
前記ソレノイド異常判定部は、前記電流測定値を電圧に換算した前記電圧換算値を用いて複数の前記電磁弁ソレノイドのいずれか１つに異常があることを判定することを特徴とする請求項１または請求項２に記載の原子炉安全保護装置。
【請求項４】
複数の前記電磁弁ソレノイドの各々に直列に接続される複数の試験接点と、
前記ソレノイド異常判定部において複数の前記電磁弁ソレノイドのいずれかが異常であることが判定されたときにおいて、前記試験接点を１つずつ開動作させる試験制御回路と、
この試験制御回路によって前記試験接点を開動作させたとき、前記ソレノイド異常判定用閾値からさらに正常な１つの電磁弁ソレノイドに流れる電流を差し引いた値として定められる異常ソレノイド特定用閾値が前記電流測定値を下回る前記電磁弁ソレノイドについて正常であると判定し、前記異常ソレノイド特定用閾値が前記電流測定値を上回る前記電磁弁ソレノイドについて異常であると判定する異常ソレノイド特定部とをさらに備えることを特徴とする請求項１乃至請求項３の何れか一項記載の原子炉安全保護装置。
【請求項５】
各々並列に接続される複数の電磁弁ソレノイドと、
並列に接続した複数の前記電磁弁ソレノイドに直列に接続され、複数の前記電磁弁ソレノイドの各々を励磁させる電力を供給する電源と、
閉動作によって前記電源から複数の前記電磁弁ソレノイドへ前記電力を供給し、開動作によって前記電源から複数の前記電磁弁ソレノイドへの前記電力を遮断する励磁用接点と、
前記励磁用接点に流れる電流を電流測定値として測定する電流測定部と、
前記電流測定値が励磁判定用閾値を上回ることによって複数の前記電磁弁ソレノイドが励磁していることを判定する励磁判定部と、
複数の前記電磁弁ソレノイドの各々に直列に接続される複数の試験接点と、
前記励磁判定部において複数の前記電磁弁ソレノイドが励磁していることが判定されたときにおいて、前記試験接点を１つずつ開動作させる試験制御回路と、
この試験制御回路によって前記試験接点を開動作させたとき、複数の前記電磁弁ソレノイドの全てが正常であるときに前記励磁用接点に流れる電流から一つの前記電磁弁ソレノイドを流れる電流よりも小さい値を差し引いた値として定められたソレノイド異常判定用閾値からさらに正常な１つの電磁弁ソレノイドに流れる電流を差し引いた値として定められる異常ソレノイド特定用閾値が前記電流測定値を下回る前記電磁弁ソレノイドについて正常であると判定し、前記異常ソレノイド特定用閾値が、前記電流測定部から受信した前記電流測定値を上回る前記電磁弁ソレノイドについて異常であると判定する異常ソレノイド特定部とを備えることを特徴とする原子炉安全保護装置。
【請求項６】
他の系統の複数の前記電磁弁ソレノイドの状態を監視し、他の系統の複数の前記電磁弁ソレノイドが正常であり、励磁しているときに試験許可信号を送信する試験監視装置をさらに備え、
前記試験制御回路は、前記試験許可信号を受信するときにのみ、前記試験接点を開動作させることを特徴とする請求項４または請求項５の何れか一項記載の原子炉安全保護装置。
【請求項７】
所定時間をカウントすることによりタイマー試験信号を送信するタイマーをさらに備え、
前記試験制御回路は、前記タイマーから前記タイマー試験信号を受信することによって、前記試験接点を開動作させることを特徴とする請求項４乃至請求項６の何れか一項記載の原子炉安全保護装置。
【請求項８】
オン動作によって手動スイッチ試験信号を送信することができる手動スイッチをさらに備え、
前記試験制御回路は、前記手動スイッチから前記手動スイッチ試験信号を受信することによって、前記試験接点を開動作させることを特徴とする請求項４乃至請求項７の何れか一項記載の原子炉安全保護装置。
【請求項９】
前記異常ソレノイド特定部を配置した基板をモジュール化し、このモジュールを前記電流測定部と前記励磁判定部とが配置される基板に接続することができることを特徴とする請求項４乃至請求項８の何れか一項記載の原子炉安全保護装置。
【請求項１０】
前記励磁用接点に流れる電流を電圧換算値として測定する電圧測定部をさらに設け、
異常ソレノイド特定部は、前記電流測定値に代えて前記電圧換算値を用いて、異常な前記電磁弁ソレノイドを特定することを特徴とする請求項４乃至請求項９の何れか一項記載の原子炉安全保護装置。
【請求項１１】
励磁用接点を閉動作させ、各々並列に接続される複数の電磁弁ソレノイドに電源から電
力を供給して励磁させる工程と、
前記励磁用接点に流れる電流を電流測定値として測定する工程と、
前記電流測定値が励磁判定用閾値を上回ることによって複数の前記電磁弁ソレノイドが励
磁していることを判定する励磁判定工程と、
複数の前記電磁弁ソレノイドが励磁していることが判定され、さらに複数の前記電磁弁ソ
レノイドの全てが正常であるときに前記励磁用接点に流れる電流から一つの前記電磁弁ソ
レノイドを流れる電流よりも小さい値を差し引いた値として定められたソレノイド異常判
定用閾値より前記電流測定値が下回るときに、複数の前記電磁弁ソレノイドのいずれか１
つに異常があることを判定するソレノイド異常判定工程とを備えることを特徴とする電磁
弁ソレノイドの異常判定方法。
【請求項１２】
前記ソレノイド異常判定工程において複数の前記電磁弁ソレノイドのいずれかが異常であることが判定されたときにおいて、複数の前記電磁弁ソレノイドの各々に直列に接続される試験接点を１つずつ開動作させる工程と、
前記試験接点を開動作させたとき、前記ソレノイド異常判定用閾値からさらに正常な１つの電磁弁ソレノイドに流れる電流を差し引いた値として定められる異常ソレノイド特定用閾値が前記電流測定値を下回る前記電磁弁ソレノイドについて正常であると判定し、前記異常ソレノイド特定用閾値が前記電流測定値を上回る前記電磁弁ソレノイドについて異常であると判定する異常ソレノイド特定工程とをさらに備えることを特徴とする請求項１１に記載の電磁弁ソレノイドの異常判定方法。
【請求項１３】
励磁用接点を閉動作させ、複数を各々並列に接続される電磁弁ソレノイドに電源から電力を供給して励磁させる工程と、
前記励磁用接点に流れる電流を電流測定値として測定する工程と、
前記電流測定値が励磁判定用閾値を上回ることによって複数の前記電磁弁ソレノイドが励磁していることを判定する励磁判定工程と、
複数の前記電磁弁ソレノイドが励磁していることが判定されたときに、複数の前記電磁弁ソレノイドの各々に直列に接続される試験接点を１つずつ開動作させる工程と、
前記試験接点を開動作させたとき、複数の前記電磁弁ソレノイドの全てが正常であるときに前記励磁用接点に流れる電流から一つの前記電磁弁ソレノイドを流れる電流よりも小さい値を差し引いた値として定められたソレノイド異常判定用閾値からさらに正常な１つの電磁弁ソレノイドに流れる電流を差し引いた値として定められる異常ソレノイド特定用閾値が前記電流測定値を下回る前記電磁弁ソレノイドについて正常であると判定し、前記異常ソレノイド特定用閾値が前記電流測定値を上回る前記電磁弁ソレノイドについて異常であると判定する異常ソレノイド特定工程とを備えることを特徴とする電磁弁ソレノイドの異常判定方法。
【発明の詳細な説明】
【技術分野】
【０００１】
本発明は、制御棒の緊急挿入を行う原子炉安全保護装置およびその電磁弁ソレノイドの
異常判定方法に関する。
【背景技術】
【０００２】
沸騰水型原子力プラントには、万が一原子炉を緊急停止せざるを得ない事象の発生時に
おいて制御棒の緊急挿入、いわゆるスクラムを行う原子炉安全保護装置が設けられている
。スクラムは、アキュムレータ内に駆動水を貯水した水圧制御ユニットに接続されたスク
ラム弁を開動作させることにより、水圧制御ユニットのアキュムレータ内の駆動水を制御
棒駆動機構へ供給することによって制御棒を原子炉へ挿入する。
【０００３】
ここで、スクラム弁には１台あたりＡ系とＢ系の２つの組となる電磁弁ソレノイドが設
けられ、組となる電磁弁ソレノイドの両方が非励磁となることによって、スクラム弁を閉
動作させる圧縮空気を開放し、スクラム弁を開動作させる構成となっている。
【０００４】
Ａ系とＢ系の電磁弁ソレノイドは、系統ごとに複数の電磁弁ソレノイドを並列に接続し
、この並列に接続した複数の電磁弁ソレノイドに対して、励磁用接点を介して電磁弁ソレ
ノイドを励磁させる電力を供給する電源が接続される。スクラム動作時には、励磁用接点
を開動作させて電源から電磁弁ソレノイドへ供給する電力を遮断することによって、電磁
弁ソレノイドを非励磁にする。
【０００５】
従来、ロードドライバーの励磁用接点の開閉状態、およびロードドライバーに接続され
る複数の電磁弁ソレノイドの励磁状態を判定するためには、ロードドライバーの励磁用接
点を流れる電流を電流測定値として測定して励磁判定用閾値と比較し、電流測定値が励磁
判定用閾値を上回るときには、ロードドライバーの励磁用接点は閉動作し、さらに複数の
電磁弁ソレノイドは全て励磁しているものとして判定していた（例えば、特許文献１参照
。）。
【０００６】
また、複数の電磁弁ソレノイドの個々の異常を判定するために、複数の電磁弁ソレノイ
ドの各々に印加される電圧を測定し表示する表示装置を設け、複数の電磁弁ソレノイドの
各々に印加される電圧を監視することによって電磁弁ソレノイドの個々の異常を判定する
技術が開発されている（例えば、特許文献２参照。）。
【先行技術文献】
【特許文献】
【０００７】
【特許文献１】特許第３２５６６１６号公報
【特許文献２】特開平６−８２５８９号公報
【発明の概要】
【発明が解決しようとする課題】
【０００８】
しかしながら、上述した特許文献１に記載の技術は、複数のうち１つの電磁弁ソレノイ
ドに異常があるときにおいても、電流測定値は励磁判定用閾値を上回り、複数の電磁弁ソ
レノイドは全て励磁しているものとして判定されるため、電磁弁ソレノイドの個々の異常
を判定することができないという課題があった。
【０００９】
さらに、上述した特許文献２に記載の技術は、複数の電磁弁ソレノイドの各々に電圧を
測定し表示する表示装置を設けているので、複数の電磁弁ソレノイドのうち異常な電磁弁
ソレノイドの特定まで可能であるものの、複数の電磁弁ソレノイドの各々に表示装置を設
置することにより設備コストの増大を招いていた。
【００１０】
そこで本発明は、簡易な構成で複数の電磁弁ソレノイドのうちいずれか１つの異常を判
定することができる原子炉安全保護装置の提供を目的とする。
【課題を解決するための手段】
【００１１】
上記目的を達成するために、本発明の原子炉安全保護装置は、スクラム弁を開動作させることができ、各々並列に接続される複数の電磁弁ソレノイドと、並列に接続した複数の電磁弁ソレノイドに対して直列に接続され、複数の電磁弁ソレノイドの各々を励磁させる電力を供給することができる電源と、閉動作によって電源から複数の電磁弁ソレノイドへ電力を供給し、開動作によって電源から複数の電磁弁ソレノイドへの電力を遮断する励磁用接点と、励磁用接点に流れる電流を電流測定値として測定する電流測定部と、電流測定値が励磁判定用閾値を上回ることによって複数の電磁弁ソレノイドが励磁していることを判定する励磁判定部と、励磁判定部において複数の電磁弁ソレノイドが励磁していることが判定され、さらに複数の前記電磁弁ソレノイドの全てが正常であるときに前記励磁用接点に流れる電流から一つの前記電磁弁ソレノイドを流れる電流よりも小さい値を差し引いた値として定められたソレノイド異常判定用閾値より電流測定値が下回るときに、複数の電磁弁ソレノイドのいずれか１つに異常があることを判定するソレノイド異常判定部とを備えることを特徴とする。
【００１２】
さらに、上記目的を達成するために、本発明の電磁弁ソレノイドの異常判定方法は、励磁用接点を閉動作させ、各々並列に接続される複数の電磁弁ソレノイドに電源から電力を供給して励磁させる工程と、励磁用接点に流れる電流を電流測定値として測定する工程と、電流測定値が励磁判定用閾値を上回ることによって複数の電磁弁ソレノイドが励磁していることを判定する励磁判定工程と、複数の電磁弁ソレノイドが励磁していることが判定され、さらに複数の前記電磁弁ソレノイドの全てが正常であるときに前記励磁用接点に流れる電流から一つの前記電磁弁ソレノイドを流れる電流よりも小さい値を差し引いた値として定められたソレノイド異常判定用閾値より電流測定値が下回るときに、複数の電磁弁ソレノイドのいずれか１つに異常があることを判定するソレノイド異常判定工程とを備えることを特徴とする。
【発明の効果】
【００１３】
本発明によれば、簡易な構成で原子炉安全保護装置における複数の電磁弁ソレノイドの
うちいずれか１つの異常を判定することができる。
【図面の簡単な説明】
【００１４】
【図１】本発明の第１の実施形態に係る原子炉安全保護装置の概略ブロック図。
【図２】本発明の第１の実施形態に係る原子炉安全保護装置の他系統との関係を示す全体概略図。
【図３】本発明の第２の実施形態に係る原子炉安全保護装置の概略ブロック図。
【図４】本発明の第２の実施形態に係る原子炉安全保護装置において異常な電磁弁ソレノイドの特定方法を示す概略図。
【図５】本発明の第３の実施形態に係る原子炉安全保護装置の概略ブロック図。
【図６】本発明の第４の実施形態に係る原子炉安全保護装置の概略ブロック図。
【図７】本発明の第５の実施形態に係る原子炉安全保護装置の概略ブロック図。
【発明を実施するための形態】
【００１５】
以下、本発明の実施形態を説明する。
【００１６】
（第１の実施形態）
（構成）
以下、本発明の第１の実施形態に係る原子炉安全保護装置について図１および図２を参
照して説明する。図１は、本発明の第１の実施形態に係る原子炉安全保護装置の概略ブロ
ック図である。
【００１７】
原子炉安全保護装置１は、ロードドライバー（ＬＤ）２と、Ｏｕｔｐｕｔ  Ｌｏｇｉｃ
Ｕｎｉｔ（以下、ＯＬＵと称す。）３と、電源４と、ヒューズ５と、電磁弁ソレノイド
６とから構成される。さらに、ロードドライバー２の基板上には、励磁用接点７と、電流
トランス８と、増幅器９と、Ｖ／Ｆ変換器１０とが設けられる。また、ＯＬＵ３の基板上
には、周波数カウンタ１１と、励磁判定部１２と、ソレノイド異常判定部１３と、励磁用
接点動作指令部１４とが設けられる。さらに、励磁用接点７と、電流トランス８と、増幅
器９と、Ｖ／Ｆ（出力電圧／出力周波数）変換器１０と、周波数カウンタ１１は、電流値
測定部１５を構成するものとする。
【００１８】
なお、原子炉安全保護装置１にはＩ〜ＩＶ区分の４つのロードドライバー２が設けられ
、各々Ｉ〜ＩＶ区分のロードドライバー２にはＯＬＵ３が接続されるが、以下、Ｉ区分の
ロードドライバー２およびＯＬＵ３を代表して説明し、４つのロードドライバー２の接続
関係等については後述する。また、図１に示す電磁弁ソレノイド６は、Ａ系とＢ系のうち
Ａ系の電磁弁ソレノイド６を示しており、Ｂ系の電磁弁ソレノイド６については後述する
。
【００１９】
以下、原子炉安全保護装置１の各構成の接続関係について説明する。複数の電磁弁ソレ
ノイド６は、互いを並列に接続される。また、複数の電磁弁ソレノイド６には、それぞれ
ヒューズ５が直列に接続される。さらに、並列に接続された複数の電磁弁ソレノイド６に
対して、直列に電源４が励磁用接点７を介して接続される。また、並列に接続された複数
の電磁弁ソレノイド６の電源４および励磁用接点７が接続されない側は地絡されるものと
する。
【００２０】
電源４から並列に接続された複数の電磁弁ソレノイド６までの電流経路のいずれかの位
置から分岐して電流トランス８と、増幅器９と、Ｖ／Ｆ変換器１０と、周波数カウンタ１
１が順に直列関係に接続される。
【００２１】
励磁判定部１２は、周波数カウンタ１１から電流測定値３１を受信することができるよ
うに、励磁判定部１２と周波数カウンタ１１は接続される。ソレノイド異常判定部１３は
、周波数カウンタ１１から電流測定値３１を受信し、さらに励磁判定部１２から励磁判定
信号３２を受信することができるように、ソレノイド異常判定部１３は、周波数カウンタ
１１および励磁判定部１２とそれぞれ接続される。励磁用接点動作指令部１４は、励磁用
接点開信号３３を励磁用接点７に送信することができるように、励磁用接点動作指令部１
４と励磁用接点７は接続される。
【００２２】
さらに、図１および図２に示すように、Ａ系の電磁弁ソレノイド６についてロードドラ
イバー２は電源４から電磁弁ソレノイド６までの電流経路において４つ設けられ、２アウ
トオブ４回路を構成している。図１に示すロードドライバー２は、図２に示すＡ系の電磁
弁ソレノイドについてのＩ区分のロードドライバー２であり、単独の励磁用接点７の開動
作によってＡ系の電磁弁ソレノイド６を全て非励磁にすることができる。したがって、ま
ずＡ系の電磁弁ソレノイドについてのＩ区分のロードドライバー２の作用のみに注目して
説明し、他のロードドライバー２の作用ならびに他のロードドライバー２への本実施形態
の適用方法については後述する。
【００２３】
（作用）
以下、本発明の第１の実施形態の作用について説明する。まず、電磁弁ソレノイド６の
励磁動作および電磁弁ソレノイド６の励磁状態を判定する方法について説明する。プラン
トの通常運転時において励磁用接点７は閉動作し、電源４は電磁弁ソレノイド６に電力を
供給する。電源４は、例えば１２０Ｖの交流電力を供給するものとする。複数の電磁弁ソ
レノイド６は、電源４から供給された電力によって励磁する。
【００２４】
複数の電磁弁ソレノイド６は互いに並列に接続されているので、各々の電磁弁ソレノイ
ド６には１２０Ｖの電圧が印加される。以下、電源４に対して電磁弁ソレノイド６が２０
個接続され、各々の電磁弁ソレノイド６に１２０Ｖの交流電圧を加えたときに０．５Ａの
電流が流れ、励磁用接点７には１０Ａの電流が流れる場合について説明する。
【００２５】
励磁用接点７に流れる電流は、電流トランス８によって電圧信号として取り出され、さ
らに増幅器９によって増幅される。増幅器９によって増幅された電圧信号は、Ｖ／Ｆ変換
器１０によって電圧に比例した周波数の周波数信号へ変換される。周波数カウンタ１１は
、周波数信号をカウントすることによって励磁用接点７を流れる電流を電流測定値３１と
して測定する。
【００２６】
励磁判定部１２は、電流測定値３１を受信し、所定の励磁判定用閾値と比較する。励磁
判定用閾値は、複数の電磁弁ソレノイド６が全て正常であるときに励磁用接点７を流れる
電流値よりも十分に小さく、かつ励磁用接点７が開動作し、電磁弁ソレノイド６に電源４
から電力が供給されていないときに流れる可能性のある微小電流よりも十分大きい値とし
、電磁弁ソレノイド６が全て正常であるときに励磁用接点７を流れる電流値の半分以下の
値が望ましい。例えば、複数の電磁弁ソレノイドが全て正常であるときの励磁用接点７を
流れる電流値が１０Ａであるとき、励磁判定用閾値は３Ａとすることができる。
【００２７】
励磁判定部１２は、電流測定値３１が励磁判定用閾値を上回るとき、励磁用接点７が閉
動作し、電源４から電磁弁ソレノイド６へ電力が供給され、複数の電磁弁ソレノイド６が
励磁状態であることを判定する。
【００２８】
励磁判定部１２は、複数の電磁弁ソレノイド６が励磁していることを判定すると、複数
の電磁弁ソレノイド６が励磁していることを示す励磁判定信号３２を表示装置５１へ送信
する。表示装置５１は励磁判定信号３２を受信し、ＣＲＴモニタやプロジェクタを用いて
複数の電磁弁ソレノイド６が励磁していることを表示する。
【００２９】
次に、電磁弁ソレノイド６の非励磁動作および電磁弁ソレノイド６が非励磁であること
判定する方法について説明する。励磁用接点動作指令部１４は、万が一の原子炉を緊急停
止させる時において、励磁用接点開信号３３を励磁用接点７へ送信する。
【００３０】
励磁用接点７は、励磁用接点動作指令部１４から励磁用接点開信号３３を受信すること
によって開動作する。励磁用接点７が開動作すると、電源４が電磁弁ソレノイド６へ供給
する電力が遮断され、電磁弁ソレノイド６は励磁用の電力を失って非励磁となる。電磁弁
ソレノイド６の非励磁によるスクラム動作については後述する。
【００３１】
このとき、電流値測定部１５で測定される電流測定値３１は、０または０に近い値であ
る。励磁判定部１２は、電流測定値３１を受信して励磁判定用閾値と比較し、電流測定値
３１が励磁判定用閾値より下回ることによって、励磁用接点７が開動作して電源４から電
磁弁ソレノイド６へ電力が遮断され、複数の電磁弁ソレノイド６が非励磁であることを判
定する。
【００３２】
励磁判定部１２は、複数の電磁弁ソレノイド６が非励磁であることを判定すると、複数
の電磁弁ソレノイド６が非励磁であることを示す励磁判定信号３２を表示装置５１へ送信
する。表示装置５１は励磁判定信号３２を受信し、ＣＲＴモニタやプロジェクタを用いて
複数の電磁弁ソレノイド６が非励磁であることを表示する。
【００３３】
次に、複数の電磁弁ソレノイド６のいずれか１つの異常を判定する方法について説明す
る。電磁弁ソレノイド６の異常判定は、プラントが通常運転され、励磁用接点７が閉動作
している状態において行われる。ここで、電磁弁ソレノイド６の異常とは、電磁弁ソレノ
イド６が故障し正常時の電流が流れない状態、またはヒューズ５が溶断して電磁弁ソレノ
イド６に電流が流れない状態、さらに個々の電磁弁ソレノイド６の電流経路においてショ
ートまたは断線が生じて電流が流れない状態をいう。
【００３４】
電磁弁ソレノイド６が２０個であり、１つの電磁弁ソレノイド６を流れる電流値が０．
５Ａであって、２０個の電磁弁ソレノイド６のうち１つに異常があるとき、励磁用接点７
において流れる電流は９．５Ａである。電流値測定部１５は、電流測定値３１を測定して
励磁用判定部１２およびソレノイド異常判定部１３へ送信する。
【００３５】
励磁用判定部１２は、電流が９．５Ａであることを示す電流測定値３１を受信すると、
励磁判定用閾値と比較を行う。２０個のうち１つの電磁弁ソレノイド６が異常であるとき
、電流測定値３１は１０Ａから９．５Ａへ変化するが、励磁判定用閾値の電流値である３
Ａを上回るので、励磁用接点７は閉動作して複数の電磁弁ソレノイド６は励磁しているも
のとして判定する。励磁用判定部１２は、複数の電磁弁ソレノイド６の励磁を示す励磁判
定信号３２を表示装置５１およびソレノイド異常判定部１３へ送信する。
【００３６】
ソレノイド異常判定部１３は、電流測定値３１を受信してソレノイド異常判定用閾値と
比較を行う。ソレノイド異常判定用閾値は、複数の電磁弁ソレノイド６の全てが正常であ
るときに励磁用接点７を流れる電流から、１つの電磁弁ソレノイド６を流れる電流よりも
小さい値を差し引いた値として定められる。例えば、電磁弁ソレノイド６が２０個であり
、１つの電磁弁ソレノイド６を流れる電流が０．５Ａであるとき、ソレノイド異常判定用
閾値は９．５Ａから１０Ａの間において定められる。さらに、電流測定値３１の上下動や
電磁弁ソレノイド６の個体差を考慮して、９．５Ａと１０Ａの中間値である９．７５Ａ付
近とすることが望ましい。
【００３７】
１つの電磁弁ソレノイド６に異常があるとき、励磁用接点７に流れる電流は複数の電磁
弁ソレノイド６の全てが正常であるときに励磁用接点７を流れる電流から、１つ分の電磁
弁ソレノイド６を流れる電流を差し引いた値である。励磁判定部１２は、電流測定値３１
が励磁判定用閾値より上回ることを判定し、励磁を示す励磁判定信号３２をソレノイド異
常判定部１３に送信し、ソレノイド異常判定部１３は、励磁判定部１２から励磁を示す励
磁判定信号３２を受信し、かつ電流測定値３１がソレノイド異常判定用閾値を下回ること
を判定することによって、電磁弁ソレノイド６のうちいずれか１つに異常があることを判
定する。
【００３８】
例えば、電磁弁ソレノイド６が２０個であり、１つの電磁弁ソレノイド６を流れる電流
が０．５Ａであるとき、励磁用接点７に流れる電流は９．５Ａである。励磁判定部１２は
、電流測定値３１の９．５Ａが励磁判定用閾値の３Ａより上回ることを判定し、励磁を示
す励磁判定信号３２をソレノイド異常判定部１３に送信する。レノイド異常判定部１３は
、励磁を示す励磁判定信号３２を受信し、かつ電流測定値３１の９．５Ａがソレノイド異
常判定用閾値の９．７５Ａを下回ることを判定することによって、複数の電磁弁ソレノイ
ド６のうちいずれか１つに異常あることを判定する。
【００３９】
ここで、励磁用接点７が開動作し、電磁弁ソレノイド６が非励磁であるときは、励磁用
接点７に流れる電流測定値３１は０に近い値であるので、ソレノイド異常判定部１３は、
電流測定値３１がソレノイド異常判定用閾値を下回る。しかし、励磁判定部１２において
は、電磁弁ソレノイド６が非励磁と判定され、ソレノイド異常判定部１３は、励磁判定部
１２から非励磁を示す励磁判定信号３２を受信するため、ソレノイド異常判定部１３は電
磁弁ソレノイド６に異常があると判定しない。
【００４０】
ソレノイド異常判定部１３は、電磁弁ソレノイド６に異常があることが判定されると、
複数の電磁弁ソレノイド６のうちいずれか１つに異常があることを示すソレノイド異常判
定信号３４を表示装置５１へ送信する。表示装置５１はソレノイド異常判定信号３４を受
信し、ＣＲＴモニタやプロジェクタを用いて複数の電磁弁ソレノイド６のうちいずれか１
つに異常があることを表示する。
【００４１】
最後に、Ａ系とＢ系の原子炉安全保護装置１、および他のロードドライバー２の作用、
ならびに原子炉安全保護装置１による制御棒の緊急挿入の作用について説明する。図２は
、本発明の第１の実施形態に係る原子炉安全保護装置の他系統との関係を示す全体概略図
である。原子炉安全保護装置１は、Ａ系とＢ系の２系統を組として構成する。Ａ系とＢ系
の原子炉安全保護装置１には、それぞれ電源４と複数の電磁弁ソレノイド６の間にＩ、Ｉ
Ｉ、ＩＩＩ、ＩＶの４区分のロードドライバーが２アウトオブ４ロジックを構成して設け
られる。
【００４２】
Ａ系の原子炉安全保護装置１では、電源４から電磁弁ソレノイド６までの電流経路にお
いて、区分Ｉと区分ＩＩと、並列に接続した区分ＩＩＩおよび区分ＩＶとを直列に接続す
る。さらに、Ｂ系の原子炉安全保護装置１では、区分ＩＩＩと区分ＩＶと、並列に接続し
た区分Ｉおよび区分ＩＩとを直列に接続する。ここで、同一区分のロードドライバー２は
、同一のＯＬＵ３の励磁用接点動作指令部１５から励磁用接点開信号３３を受信するもの
とする。
【００４３】
さらに、Ａ系とＢ系の原子炉安全保護装置１の複数の電磁弁ソレノイド６のそれぞれ１
つずつを組として、組となる電磁弁ソレノイド６に１つのスクラム弁６１が接続される。
さらに、スクラム弁６１には、水圧制御ユニット６２が接続される。水圧制御ユニット６
２は、アキュムレータ内に駆動水を貯水し、スクラム弁６１の開動作によりアキュムレー
タ内に駆動水を開放することができる装置である。水圧制御ユニット６２は、アキュムレ
ータ内に駆動水を制御棒駆動機構６３へ供給することができるように、水圧制御ユニット
６２と制御棒駆動機構６３は接続される。スクラム弁６１は、プラントの通常運転時にお
いて圧縮空気によって閉動作し、アキュムレータ内の駆動水の制御棒駆動機構６３への供
給を妨げている。
【００４４】
４つのＯＬＵ３のうち２つが励磁用接点動作指令部１５から励磁用接点開信号３３を送
信したとき、Ａ系とＢ系の電磁弁ソレノイド６がいずれも非励磁となり、スクラム弁６１
の圧縮空気を開放し、スクラム弁６１が開動作する。スクラム弁の開動作によって、水圧
制御ユニット６２のアキュムレータから駆動水が制御棒駆動機構６３へ供給され、制御棒
の原子炉内への緊急挿入が行われる。
【００４５】
ここで、並列関係にあるロードドライバー２は、他方の並列関係にあるロードドライバ
ー２の励磁用接点７の開動作または閉動作によってロードドライバー２に流れる電流測定
値３１が変化する。したがって、本実施形態の原子炉安全保護装置１のソレノイドの異常
判定に係るソレノイド異常判定部１３は、Ａ系およびＢ系の４つのロードドライバーのう
ち直列関係にあるものについて適用することが望ましい。具体的には、図２に示すＡ系の
電磁弁ソレノイドの異常判定を行うときは、Ｉ系およびＩＶ系のロードドライバー２に適
用するものとし、さらにＢ系の電磁弁ソレノイドの個々のソレノイドの異常判定を行うと
きは、ＩＩ系およびＩＩＩ系のロードドライバーに適用するものとする。
【００４６】
並列関係にあるロードドライバー２に適用する場合には、他方の並列関係にあるロード
ドライバー２の励磁用接点７の動作状態にかかる情報をロードドライバー２に与えること
によって適用することが可能である。
【００４７】
（効果）
本発明の第１の実施形態によれば、励磁判定部１２によって電流測定値３１が励磁判定
用閾値より上回ることを判定することによって電磁弁ソレノイド６の励磁を判定し、さら
にソレノイド異常判定部１３によって電流測定値３１がソレノイド異常判定用閾値を下回
ることを判定することによって、複数の電磁弁ソレノイド６のうちいずれか１つに異常が
あることを判定することができる。
【００４８】
（第２の実施形態）
（構成）
以下、本発明の第２の実施形態に係る原子炉安全保護装置について図３および図４を参
照して説明する。第１の実施形態に係る原子炉安全保護装置の各部と同一部分には同一符
号を付し、同一の構成についての説明は省略する。
【００４９】
図３は、本発明の第２の実施形態に係る原子炉安全保護装置の概略ブロック図である。
第２の実施形態が第１の実施形態と異なる点は、試験制御回路１６と、異常ソレノイド特
定部１７と、電磁弁ソレノイド６と同数の試験接点１８と、試験監視装置５２と、ＡＮＤ
回路７０を新たに設けた点である。試験制御回路１６と、異常ソレノイド特定部１７と、
試験監視装置５２は、図２に示すようにＯＬＵ３の基板上に設けられる。
【００５０】
ここで試験接点１８は、複数の電磁弁ソレノイド６の各々に直列に接続され、複数の電
磁弁ソレノイド６の各々に流れる電流を開動作によって遮断できるものである。また、試
験制御回路１６は、
複数の試験接点１８の各々に試験接点開信号３７を送信することができるように、試験制
御回路１６と複数の試験接点１８とが接続される。
【００５１】
さらに、試験制御回路１６は、ＡＮＤ回路７０を介してソレノイド異常判定部１３から
ソレノイド異常判定信号３４を受信し、ＡＮＤ回路７０を介して試験監視装置５２から試
験許可信号３５を受信することができるように、試験制御回路１６はソレノイド異常判定
部１３および試験監視装置５２とＡＮＤ回路７０を介してそれぞれ接続される。
【００５２】
試験監視装置５２は、ソレノイド異常判定部１３からソレノイド異常判定信号３４を受
信し、さらに試験制御回路１６から試験動作信号３６を受信することができるように、試
験監視装置５２は、ソレノイド異常判定部１３および試験制御回路１６とそれぞれ接続さ
れる。
【００５３】
異常ソレノイド特定部１７は、周波数カウンタ１１から電流測定値３１を受信し、試験
制御回路１６から試験接点動作信号３８を受信することができるように、異常ソレノイド
判定部１７は周波数カウンタ１１および試験制御回路１６にそれぞれ接続される。さらに
、異常ソレノイド特定部１７は、表示装置５１へ異常ソレノイド特定信号３９を送信する
ことができるように、異常ソレノイド特定部１７と表示装置５１は接続される。
【００５４】
（作用）
以下、本発明の第２の実施形態の作用について説明する。本実施形態においては、複数
の電磁弁ソレノイド６のいずれか１つが異常であることを判定した後に、複数の電磁弁ソ
レノイド６の中から異常な電磁弁ソレノイド６を特定する。複数の電磁弁ソレノイド６の
いずれか１つの異常判定は、上述した第１の実施形態の作用と同様であるため説明を省略
する。
【００５５】
ソレノイド異常判定部１３において、複数の電磁弁ソレノイド６のいずれか１つに異常
があることが判定されると、ソレノイド異常判定部１３は、電磁弁ソレノイド６のいずれ
か１つに異常があることを示すソレノイド異常判定信号３４を試験制御回路１６へ送信す
る。
【００５６】
さらに、試験監視装置５２は、試験許可信号３５を試験制御回路１６へ送信する。以下
、試験許可信号３４の作用について説明する。本実施形態における異常な電磁弁ソレノイ
ド６を特定する方法では、試験接点１８を開動作し、各々の電磁弁ソレノイド６に流れる
電流を遮断して行う。しかし、上述したようにＡ系とＢ系の組となる電磁弁ソレノイド６
の両方に流れる電流が遮断され非励磁となると、スクラム弁６１が開動作してスクラム動
作が行われる。
【００５７】
試験監視装置５２は、Ａ系およびＢ系のソレノイド異常判定部１３からソレノイド異常
判定信号３４を受信することによって他の系統の電磁弁ソレノイド６に異常があるかを確
認し、さらに、Ａ系およびＢ系の試験制御回路１６から試験動作信号３６を受信すること
によってＡ系およびＢ系の試験が行われているかを確認する。
【００５８】
したがって、Ａ系の電磁弁ソレノイド６について試験を行うとき、試験監視装置５２は
、Ｂ系の電磁弁ソレノイド６が全て正常であり、かつＢ系の電磁弁ソレノイド６について
試験が行われていないことを確認し、試験許可信号３４によってＡ系の電磁弁ソレノイド
６を開動作してもスクラム弁６１が開動作しないことを保障する信号をＡ系の試験制御回
路１６へ送信する。
【００５９】
試験制御回路１６は、電磁弁ソレノイド６のいずれか１つの異常を示すソレノイド異常
判定信号３４および試験許可信号３５をＡＮＤ回路７０を介して受信すると、試験接点開
信号３７を複数の試験接点１８の各々に順に送信する。試験接点１８は、試験接点開信号
３７を受信することによって開動作し、試験接点開信号３７が受信されなくなると再び閉
動作するものとする。さらに、１つの試験接点１８の開動作中には、他の試験接点１８を
開動作させないタイミングで、試験制御回路１６は試験接点開信号３６の送信を行うもの
とする。
【００６０】
ここで、複数の電磁弁ソレノイド６のうち１つに異常があり、かつ試験接点１８の開動
作が行われないとき、電流測定値３１は、複数の電磁弁ソレノイド６が全て正常であると
きの電流値から１つの電磁弁ソレノイド６に流れる電流を差し引いた値を示す。例えば、
電磁弁ソレノイド６が電源４に２０個接続され、１つの電磁弁ソレノイドに流れる電流が
０．５Ａであるとき、複数の電磁弁ソレノイド６のうち１つが異常しているときの電流測
定値３１は９．５Ａである。
【００６１】
異常ソレノイド特定部１７は、異常ソレノイド特定用閾値より電流測定値３１が下回る
ことによって試験接点１８を開動作した電磁弁ソレノイド６について正常であることを判
定する。ここで、異常ソレノイド特定用閾値は、上述したソレノイド異常判定用閾値から
さらに１つ分の電磁弁ソレノイド６に流れる電流を差し引いた値として定められる。例え
ば、電磁弁ソレノイド６が電源４に２０個接続され、１つ分の電磁弁ソレノイド６に流れ
る電流が０．５Ａであるとき、異常ソレノイド判定用閾値は９Ａから９．５Ａの間におい
て定められる。例えば、ソレノイド異常判定用閾値が９．７５Ａとして定められるとき、
異常ソレノイド特定用閾値は９．２５Ａとして定められる。
【００６２】
複数の電磁弁ソレノイド６は、試験接点開信号３７を受信すると、試験接点１８を１つ
ずつ順に開動作を行う。複数の電磁弁ソレノイド６のうち、正常なものが試験接点開信号
３６を受信して開動作を行うと、電流測定値３１は、複数の電磁弁ソレノイド６のうち１
つに異常があるときの値からさらに１つ分の電磁弁ソレノイド６に流れる電流を差し引い
た値を示す。例えば、電磁弁ソレノイド６が電源４に２０個接続され、１つ分の電磁弁ソ
レノイド６に流れる電流が１Ａであって、複数の電磁弁ソレノイド６のうち１つが異常し
、１つの正常な電磁弁ソレノイド６の試験接点１８を開動作したときの電流測定値３１は
９Ａである。
【００６３】
異常ソレノイド特定部１７は、電流測定値３１が９Ａであり、異常ソレノイド判定用閾
値の９．２５Ａより下回ることを判定することによって試験接点１８を開動作した電磁弁
ソレノイド６は正常であることを判定する。
【００６４】
そして、複数の電磁弁ソレノイド６のうち、異常があるものの試験接点１８が試験接点
開信号３７を受信して開動作を行うとき、電流測定値３１は、複数の電磁弁ソレノイド６
のうち１つが異常であるときと同じ値を示す。例えば、電磁弁ソレノイド６が電源４に２
０個接続され、１つの電磁弁ソレノイドに流れる電流が０．５Ａであって、複数の電磁弁
ソレノイド６のうち１つが異常し、異常ある電磁弁ソレノイド６の試験接点１８を開動作
したときの電流測定値３１は９．５Ａである。
【００６５】
異常ソレノイド特定部１７は、電流測定値３１が９．５Ａであり、異常ソレノイド判定
用閾値の９．２５Ａを上回ることを判定することによって試験接点１８を開動作した電磁
弁ソレノイド６に異常があることを判定する。
【００６６】
図４は、本発明の第２の実施形態に係る原子炉安全保護装置において異常な電磁弁ソレ
ノイドの特定方法を示す概略図である。試験接点１８を順に開動作させ、電流測定値３１
が異常ソレノイド特定用閾値よりも上回ることが確認された電磁弁ソレノイド６について
は正常であると判定する。そして、試験接点１８を開動作させたとき、電流測定値３１が
異常ソレノイド特定用閾値よりも下回ることが確認された電磁弁ソレノイド６について異
常がある電磁弁ソレノイド６であると判定する。
【００６７】
異常ソレノイド特定部１７は、異常な電磁弁ソレノイド６の特定が終了すると、複数の
電磁弁ソレノイド６のうち異常な電磁弁ソレノイド６を示す異常ソレノイド特定信号３９
を表示装置５１へ送信する。表示装置５１は異常ソレノイド特定信号３９を受信し、ＣＲ
Ｔモニタやプロジェクタを用いて異常な電磁弁ソレノイド６を表示する。
【００６８】
（効果）
本発明の第２の実施形態によれば、複数の電磁弁ソレノイド６のうちいずれか１つに異
常があるときに、複数の電磁弁ソレノイド６の各々の試験接点１８を順に開動作させて電
流測定値３１の変化を監視することによって、異常な電磁弁ソレノイド６を特定すること
ができる。
【００６９】
（第３の実施形態）
（構成）
以下、本発明の第３の実施形態に係る原子炉安全保護装置について図５を参照して説明
する。第１の実施形態に係る原子炉安全保護装置の各部と同一部分には同一符号を付し、
同一の構成についての説明は省略する。
【００７０】
図５は、本発明の第３の実施形態に係る原子炉安全保護装置の概略ブロック図である。
第３の実施形態が第２の実施形態と異なる点は、ソレノイド異常判定部１３の構成を省き
、タイマー１９を新たに設けた点である。タイマー１９が送信するタイマー試験信号４０
と試験監視装置５２が送信する試験許可信号３５をＡＮＤ回路７０へ送信し、ＡＮＤ回路
７０の出力信号を試験制御回路１６へ送信するように、タイマー１９は試験制御回路１６
と接続される。
【００７１】
（作用）
以下、本発明の第３の実施形態の作用について説明する。タイマー１９は、励磁判定信
号３２を受信することによってカウントを開始し、所定の設定時間に達すると、タイマー
試験信号４０を試験制御回路１６に送信する。さらに試験監視装置５１は、他の系統の電
磁弁ソレノイド６に異常がないことを確認して試験許可信号３５を試験制御回路１６に送
信する。
【００７２】
所定の設定時間は、運転計画等によって定められ、定期的に異常ある電磁弁ソレノイド
６を特定する試験を行うために定められる期間であり、他の系統の電磁弁ソレノイド６の
試験時間と重ならないように定められる。
【００７３】
試験制御回路１６は、タイマー試験信号４０および試験許可信号３５をＡＮＤ回路７０
を介して受信することによって、上述した複数の電磁弁ソレノイド６の試験接点１８を順
に開動作させることによる異常がある電磁弁ソレノイド６の特定を行う。タイマー１９は
、試験制御回路１６による異常な電磁弁ソレノイド６の特定が終了すると、再び励磁判定
信号３２を受信することによってカウントを開始する。
【００７４】
（効果）
本発明の第３の実施形態によれば、周期的に電磁弁ソレノイド６の異常の特定を行うこ
とができる。さらに、タイマー１９によって所定時間ごとに異常がある電磁弁ソレノイド
６の特定試験を行うことによって、定期的に異常な電磁弁ソレノイド６の特定を行うこと
ができる。
【００７５】
（第４の実施形態）
（構成）
以下、本発明の第４の実施形態に係る原子炉安全保護装置について図６を参照して説明
する。第１の実施形態に係る原子炉安全保護装置の各部と同一部分には同一符号を付し、
同一の構成についての説明は省略する。
【００７６】
図６は、本発明の第４の実施形態に係る原子炉安全保護装置の概略ブロック図である。
第４の実施形態が第３の実施形態と異なる点は、手動スイッチ２０を新たに設けた点であ
る。手動スイッチ２０が送信する手動試験信号４１とタイマー１９が送信するタイマー試
験信号４０をＯＲ回路７１へ送信し、ＯＲ回路７１の出力信号と試験監視装置５２が送信
する試験許可信号３５をＡＮＤ回路７０へ送信し、さらにＡＮＤ回路７０の出力信号を試
験制御装置１６へ送信することができるように、手動スイッチ２０は、試験制御装置１６
と接続される。
【００７７】
手動スイッチ２０は、中央監視室（図示せず）または、原子炉安全保護装置１が収容さ
れる制御盤において設けられ、手動スイッチ２０のＯＮ動作によって手動試験信号４１を
送信するものである。
【００７８】
（作用）
以下、本発明の第４の実施形態の作用について説明する。手動スイッチ２０のオン動作
によって手動試験信号４１がＯＲ回路７１およびＡＮＤ回路７０を介して試験制御回路１
６へ送信され、かつ試験監視装置５２によって試験許可信号３５がＡＮＤ回路７０を介し
て試験制御回路１６へ送信されると、試験制御回路１６は上述した複数の電磁弁ソレノイ
ド６の試験接点１８を順に開動作させることによる異常がある電磁弁ソレノイド６の特定
試験を行う。
【００７９】
また、タイマー１９が所定の時間をカウントしたとき、タイマー１９はタイマー試験信
号４０をＯＲ回路７１およびＡＮＤ回路７０を介して試験制御回路１６へ送信し、さらに
試験監視装置５２によって試験許可信号３５がＡＮＤ回路７０を介して試験制御回路１６
へ送信されると、異常な電磁弁ソレノイド６の特定試験が行われる。
【００８０】
（効果）
本発明の第３の実施形態によれば、運転員が任意のタイミングで電磁弁ソレノイド６の
異常がある電磁弁ソレノイド６を特定する試験を行うことができる。
【００８１】
（第５の実施形態）
（構成）
以下、本発明の第５の実施形態に係る原子炉安全保護装置について図７を参照して説明
する。第１の実施形態に係る原子炉安全保護装置の各部と同一部分には同一符号を付し、
同一の構成についての説明は省略する。
【００８２】
図７は、本発明の第５の実施形態に係る原子炉安全保護装置の概略ブロック図である。
第５の実施形態が第１の実施形態と異なる点は、ソレノイド異常判定用モジュール２１を
新たに設けた点である。さらに、第１の実施形態においてＯＬＵ３の基板上に設けられた
ソレノイド異常判定部１３と、試験制御回路１６と、異常ソレノイド特定部１７と、試験
監視装置５２は、ソレノイド異常判定用モジュール２１の基板上に設けられる。
【００８３】
また、ソレノイド異常判定部１３および異常ソレノイド特定部１７は、増幅器９から電
圧換算値４２を受信することができるように接続される。ここで、電圧換算値４２とは、
励磁用接点７を流れる電流を電圧値として測定したものであり、電流測定値３１を電圧に
換算したものである。
【００８４】
（作用）
以下、本発明の第５の実施形態の作用について説明する。本実施形態における電磁弁ソ
レノイド６の異常判定は、第１の実施形態と同様に励磁用接点７が閉動作され、複数の電
磁弁ソレノイド７が励磁された状態において行われる。ソレノイド異常判定部１３は、励
磁判定部１２から励磁判定信号３２を受信することによって、複数の電磁弁ソレノイド７
が励磁していることを確認する。
【００８５】
本実施形態において増幅器９は、励磁用接点７に流れる電流を電圧値換算した電圧換算
値４２として測定して出力する電圧測定部として作用する。ソレノイド異常判定部１３は
、増幅器９から電圧換算値４２を受信する。ここで、ソレノイド異常判定部１３における
ソレノイド異常判定用閾値は、複数の電磁弁ソレノイド６の全てが正常であるときに励磁
用接点７を流れる電流から、１つの電磁弁ソレノイド６を流れる電流よりも小さい値を差
し引いた値を増幅器９が出力する電圧値で換算した値として定められる。さらに、ソレノ
イド異常判定部１３は、増幅器９から受信した電圧換算値４２とソレノイド異常判定用閾
値とを比較することによって上述した電磁弁ソレノイド６の異常判定を行う。
【００８６】
さらに、異常ソレノイド特定部１７における異常ソレノイド特定用閾値は、ソレノイド
異常判定用閾値からさらに１つの電磁弁ソレノイド６を流れる電流を差し引いた値を増幅
器９が出力する電圧値で換算した値として定められる。さらに、異常ソレノイド特定部１
７は、増幅器９から受信した電圧換算値４２と異常ソレノイド特定用閾値を比較すること
によって上述した異常な電磁弁ソレノイド６の特定を行う。
【００８７】
（効果）
本発明の第５の実施形態によれば、ソレノイド異常判定部１３によって電圧換算値４２
を用いて異電磁弁ソレノイド６の異常判定を行い、異常ソレノイド特定部１７によって電
圧換算値４２を用いて異常がある電磁弁ソレノイド６の特定を行うことによって、電流測
定値３１を用いる場合に比べて構成する回路を簡易にすることができる。さらに、電磁弁
ソレノイド６の異常判定に係る構成を異常判定ソレノイド異常判定用モジュール２１の基
板上に設け、これをＯＬＵ３に接続することによって、既存の原子炉安全保護装置への本
実施形態の適用が容易となる。
【００８８】
なお、励磁用判定部１２についても増幅器９から電圧換算値４２を受信し、さらに励磁
判定用閾値を増幅器９が出力する電圧値に換算したものと比較することによって電磁弁ソ
レノイド６の励磁を判定してもよい。さらに、電圧換算値４２は電圧トランス８から出力
される電圧値を用いてもよい。
【００８９】
なお、本発明の実施形態は上述した実施形態に限られないことは言うまでもない。例え
ば、電流値測定部１４の構成は、上述した励磁用接点７と、電流トランス８と、増幅器９
と、Ｖ／Ｆ変換器１０と、周波数カウンタ１１とから構成される場合に限られず、励磁用
接点７に流れる電流を電流値や電圧値として定量的に測定することができる構成であれば
、他の構成を適用することが可能である。
【００９０】
また、ロードドライバー２内の構成およびＯＬＵ３内の構成は、適宜置き換えることが
でき、さらに別のモジュールへ配置することもできる。例えば、電流値測定部１４や励磁
用接点動作指令部１５の構成を新たに設けたモジュールにおいて配置することができる。
なお、上述した第１から第４の実施形態は適宜組み合わせられるものとする。 
【符号の説明】
【００９１】
１・・・原子炉安全保護装置
２・・・ロードドライバー（ＬＤ）
３・・・ＯＬＵ
４・・・電源
５・・・ヒューズ
６・・・電磁弁ソレノイド
７・・・励磁用接点
８・・・電流トランス
９・・・増幅器
１０・・・Ｖ／Ｆ変換器
１１・・・周波数カウンタ
１２・・・励磁判定部
１３・・・ソレノイド異常判定部
１４・・・励磁用接点動作指令部
１５・・・電流値測定部
１６・・・試験制御回路
１７・・・異常ソレノイド特定部
１８・・・試験接点
１９・・・タイマー
２０・・・手動スイッチ
２１・・・ソレノイド異常判定モジュール
３１・・・電流測定値
３２・・・励磁判定信号
３３・・・励磁用接点開信号
３４・・・ソレノイド異常判定信号
３５・・・試験許可信号
３６・・・試験動作信号
３７・・・試験接点開信号
３８・・・試験接点動作信号
３９・・・異常ソレノイド特定信号
４０・・・タイマー試験信号
４１・・・手動スイッチ試験信号
４２・・・電圧換算値
５１・・・表示装置
５２・・・試験監視装置
６１・・・スクラム弁
６２・・・水圧制御ユニット
６３・・・制御棒駆動機構
７０・・・ＡＮＤ回路
７１・・・ＯＲ回路
【図１】
0005727817.tif 000002
【図２】
0005727817.tif 000003
【図３】
0005727817.tif 000004
【図４】
0005727817.tif 000005
【図５】
0005727817.tif 000006
【図６】
0005727817.tif 000007
【図７】
0005727817.tif 000008